【事件の表示】
　平成　８年特許願第２３７４４９号「画像読取再生装置」拒絶査定不服審判事件〔平成１０年　３月３１日出願公開、特開平１０−　８４４６０〕について、次のとおり審決する。
【結　論】
　本件審判の請求は、成り立たない。
【理　由】
１　手続きの経緯・本願発明
　本願は、平成８年９月９日の出願であって、平成１８年１月１７日付けで拒絶査定がされ、これに対して同年２月２２日に拒絶査定不服審判が請求されたものである。
　本願の発明は、平成１８年３月２４日付けで補正された特許請求の範囲の請求項１ないし３に記載されたものと認められるところ、その請求項１に記載された発明（以下、「本願発明」という。）は、次のとおりのものである。
「【請求項１】
　原稿が担持する画像を光電的に読み取り画像データとして出力する読取装置と、前記読取装置から出力された画像データに所定の画像処理を施して記録用の画像データとする処理装置と、前記処理装置から出力された画像データをメモリに記録して順次読み出し、所定の副走査方向に搬送した記録材料に前記画像データに応じた画像記録を行う記録装置とを有する画像読取再生装置であって、
　前記読取部による画像読取の開始から、得られた画像データを前記記録装置のメモリに記憶するまでの、前記原稿が担持する画像１コマの読み取り時間をＴｒ［秒］;　前記記録装置における前記記録材料の副走査方向への搬送速度をＶｐ[mm/秒]；　前記記録装置における各コマの画像記録間の非記録時に不可避に生じる時間であるオーバーヘッド時間をα［秒］;　とした際に、下記式［１］を満たすことを特徴とする画像読取再生装置。
　　　　　　　Ｔｒ≧（８２．５[mm]／Ｖｐ）＋α　……　［１］」
　
２　引用例
　原査定の拒絶の理由で引用された特開平５−１００３２３号公報（以下、「引用例」という。）には次の事項が図面と共に開示されている。（記載箇所は段落番号等で表示）
　ア　「【０００７】
【実施例】図１は、本発明の写真プリンタを示す概略図である。現像処理後のネガフイルム１０は送りローラ対１１，１２，１３により送られる。送りローラ対１１，１２の間には、ネガフイルム１０に接するようにして磁気ヘッド１５が設けられている。磁気ヘッド１５は、ネガフイルム１０の送り中に、ネガフイルム１０の磁気記録層に記録したトリミング情報を読み取る。磁気読取部１６は磁気ヘッド１５からの磁気データをトリミング情報に変換し、これを画像処理部１７に送る。
【０００８】送りローラ対１２，１３の間で、ネガフイルム１０の下方には光源２０が設けられている。また、ネガフイルム１０を挟んで光源２０の上方には、スリット板２１，レンズ２２及びＣＣＤラインセンサ２３が設けられている。スリット板２１にはネガフイルム１０の幅方向に細長くスリット２１ａが形成されている。光源２０で照明されたネガフイルム１０の画像はスリット２１ａを通過して、レンズ２２により、ラインセンサ２３の素子面に結像される。
【０００９】ラインセンサ２３は、各素子面にＲ，Ｇ，Ｂの色フイルタが配置されたカラーラインセンサとされている。画像読取回路２４は、フイルム送りに同期させてネガフイルム１０の三色画像データをカラーラインセンサ２３により取り込む。取り込んだ画像データは画像処理部１７に送られる。なお、カラーのラインセンサ２３を用いる代わりに、モノクロのラインセンサにＲ，Ｇ，Ｂの色フイルタをそれぞれ配置した各色専用のラインセンサを設け、これにより測光するようにしてもよい。また、ラインセンサに代えてイメージエリアセンサを用いてもよい。
【００１０】画像処理部１７では、トリミング情報と画像データにより、トリミング後の画像データをカラーラインプリンタ２５に送る。ラインプリンタ２５は、レーザー光でカラーペーパー２６の幅方向に主走査するとともに、カラーペーパー２６をペーパープロセサ２７の処理速度と同じ速度で送りローラ対２８により送ることで副走査して、画像処理部１７からの画像データに基づきカラーペーパー２６を焼付露光する。焼付露光済みのカラーペーパー２６はそのままペーパープロセサ２７に送られ、ここで現像処理される。現像処理済みのカラーペーパー２６は、周知のように各コマ毎に切断されて写真受け皿２９に排出される。
【００１１】図２は画像処理部１７のブロック図を示すものである。画像読取回路２４からの三色画像データはＡ／Ｄ変換器４０を経てデジタル化され、これが乗算器４１に入る。乗算器４１はノイズ除去のために係数（１−Ｋ）を画像データに乗じる。この画像データは、セレクタ４２を介して加算器４３に入り、乗算器４４からのデータと加算され３ポートのフレームメモリ４５に入力される。このフレームメモリ４５は、それぞれ転送速度の異なった画像データを出力する。このように２系統の出力を有することで、転送速度の異なった周辺機器（例えば、ＣＲＴディスプレィと写真プリンタ等のように極端に転送速度が違うもの）へほぼ同時期に画像データを出力することができる。ここで、転送速度の遅い方を出力１とし、転送速度の速い方を出力２とする。出力１は、撮像系の入力と同じ速度とプリンタへ出力するための転送速度との２種類の速度を持ち、出力２はＣＲＴへの表示のための転送速度を持つ。
【００１２】出力１から出力された画像データは乗算器４４に入り、ノイズ除去のための係数（Ｋ）が掛けられ、加算器４３に入る。ここで読み出された画像データは１フレーム前の画像であることはいうまでもない。このようにして、画像データのノイズ成分を除去する。また、乗算器４４の係数（Ｋ）を「１」にして、入力側のデータを任意の領域セレクタ４２によって強制的に「０」にし、セレクタ４６をその領域のみ出力１をＯＮにし、更に転送速度を倍にし、かつ読み出したデータを１画素毎に間引いて加算器に入力すれば、１フレーム前の画像を１／２に縮小した画像が現フレームに嵌め込まれる（これをピクチャー・イン・ピクチャーと呼ぶ）。また、間引きを行わず、書込みの位置のみを制御すれば同じ画像を半分ずつ並べて表示することもできる。
【００１３】出力２からの画像データはルックアップテーブルメモリ５０，５１（以下ＬＵＴと呼ぶ）を通ってγ補正等が施され、セレクタ５２を介してＤ／Ａ変換器５３に入りアナログ信号に変換されてモニタＣＲＴ５２へ出力される。ここで、ＬＵＴ５０，ＬＵＴ５１は、ピクチャー・イン・ピクチャー・モード時の現画面用と挿入画面用のＬＵＴで、両方のＬＵＴはそれぞれ独立に色調補正が施されてカラーモニター５４に表示することを可能にしている。このようにすることで、色調調整の際、リアルタイムに調整前の画像（縮小された方の画像）と調整後の画像とが比較できる。
【００１４】なお、ＬＵＴ５０，５１は高速なメモリから構成されており、各アドレスに対応したデータをあらかじめマイクロプロセサ５５から書き込むことで、色調の変換が行える。マイクロプロセサ５５は、ＬＵＴのデータの書き換えの外に、色補正マトリックスの係数、乗算器の係数等を自由に書き換えることができる。また、符号５６はメモリ及びタイミングコントローラを示す。
【００１５】フリーズされた画像データをプリンタへ転送する時は、画像データはフレームメモリ４５の出力１から読み出される。この画像データは、セレクタ４６を介しデータセレクタ６０に送られる。データセレクタ６０には、範囲指定回路６１が接続されている。範囲指定回路６１には、トリミング情報が入力されており、このトリミング情報に基づき範囲指定回路６１はトリミング情報に対応する範囲を指定し、この指定するアドレスデータをデータセレクタ６０に送る。データセレクタ６０は、フレームメモリ４５からの画像データと範囲指定回路６１からの指定アドレスデータに基づき指定された範囲の画像データを画像補完回路６２に送る。
【００１６】画像補完回路６２は、データセレクタ６０からの画像を補完してカラーペーパーの幅に対応させて画像を拡大する。この拡大されたトリミング後の画像データはフレームメモリ６３に記憶される。プリンタ用ＬＵＴ６５は、フレームメモリ６３からの画像データを階調変換する。このＬＵＴ６５にはキー入力された補正値に対応する補正データが記憶されており、この補正データに基づき階調を変換する。階調変換された画像データは、色補正マトリックス回路６６によりカラーペーパー等の色特性に合わせられ、プリンタ用インターフェイス６７を介して、ラインプリンタ２５へ送られる。
【００１７】図３は、ラインプリンタ２５を示す概略図である。ラインプリンタ２５は、Ｈｅ−Ｎｅレーザー７０，Ｈｅ−Ｃｄレーザー７１，Ａｒレーザー７２を備えている。各レーザー７０〜７２からのレーザービームは、各光変調器７３，７４，７５により画像処理部１７からの画像データに基づき変調される。なお、符号７６はビームスプリッタであり、レーザービームの一部を各光変調器７３〜７５にフィードバックしている。
【００１８】画像データに基づき変調された各レーザービームは、ミラー７７，ダイクロイックミラー７８，７９により１本のビームにされ、これが周知のコリメート光学系により平行光に直された後に、シリンドリカルレンズ８０を経て、ポリゴンミラー８１に導かれる。ポリゴンミラー８１はモータ８２により高速回転され、この回転によりカラーペーパー２６の幅方向にレーザービームが振られ、ポリゴンミラー８１の１面につき１回の主走査が行われる。ｆθレンズ８３及びシリンドリカルレンズ８４からなる結像光学系は、ポリゴンミラー８１により偏向されたレーザービームをカラーペーパー２６上で絞り込み、感光密度に応じたビーム径となるようにしている。ペーパー送りローラ対８５は、レーザービームの主走査に同期させてカラーペーパー２６を送り、副走査する。ペーパー送りローラ対８５は、モータ８６により回転される。各モータ８２，８６はドライバ８７，８８を介し、コントローラ８９により回転制御される。コントローラ８９は、画像処理部１７からの同期信号に基づき各モータ８２，８６を回転制御する。このフイルム送りによる副走査とレーザービームの主走査により、カラーペーパー２６に、トリミング後の画像を焼付露光する。また、ラインプリンタ２５は画像の焼付露光の他に、図４に示すように、カラーペーパー２６の各コマとコマとの間の余白部にカットマーク３０を焼付露光する。このカットマーク３０に基づき、ペーパープロセサ２７ではペーパーの乾燥後にカッタにより、カラーペーパー２６を各コマ毎に切断する。」
　
　前記アの記載によると、引用例１には、
「フイルム送りに同期させて現像処理後のネガフイルム１０の三色画像データをカラーラインセンサ２３又はイメージエリアセンサにより取り込む画像読取回路２４と、
　画像読取回路２４からの三色画像データが入力されるフレームメモリ４５と、
　フレームメモリ４５からの画像データと範囲指定回路６１からの指定アドレスデータに基づき指定された範囲の画像データを画像補完回路６２に送るデータセレクタ６０、及びデータセレクタ６０からの画像を補完してカラーペーパーの幅に対応させて画像を拡大する画像補完回路６２と、
　この拡大されたトリミング後の画像データを記憶するフレームメモリ６３と、
　フレームメモリ６３からの画像データが送られ、副走査するカラーペーパー２６にトリミング後の画像を焼付露光し、また、カラーペーパー２６の各コマとコマとの間の余白部にカットマーク３０を焼付露光するラインプリンタ２５とを有する写真プリンタ。」の発明（以下、「引用発明」という。）が記載されていると認められる。
　
３　対比
　本願発明と引用発明とを対比する。
　引用発明の「写真プリンタ」は、現像処理後のネガフィルムの画像データを読み取り、カラーペーパーに再生するものであるから、本願発明の「画像読取再生装置」に相当する。
　引用発明の「フイルム送りに同期させて現像処理後のネガフイルム１０の三色画像データをカラーラインセンサ２３又はイメージエリアセンサにより取り込む画像読取回路２４」は、本願発明の「原稿が担持する画像を光電的に読み取り画像データとして出力する読取装置」に相当する。
　引用発明の「画像読取回路２４からの三色画像データが入力されるフレームメモリ４５と、フレームメモリ４５からの画像データと範囲指定回路６１からの指定アドレスデータに基づき指定された範囲の画像データを画像補完回路６２に送るデータセレクタ６０、及びデータセレクタ６０からの画像を補完してカラーペーパーの幅に対応させて画像を拡大する画像補完回路６２」は、本願発明の「読取装置から出力された画像データに所定の画像処理を施して記録用の画像データとする処理装置」に相当する。
　引用発明において、ラインプリンタ２５はフレームメモリ６３に記録した画像データを順次読み出して焼付露光していることは明らかであるから、引用発明の「この拡大されたトリミング後の画像データを記憶するフレームメモリ６３と、フレームメモリ６３からの画像データが送られ、副走査するカラーペーパー２６にトリミング後の画像を焼付露光し、また、カラーペーパー２６の各コマとコマとの間の余白部にカットマーク３０を焼付露光するラインプリンタ２５」は、本願発明の「処理装置から出力された画像データをメモリに記録して順次読み出し、所定の副走査方向に搬送した記録材料に前記画像データに応じた画像記録を行う記録装置」に相当する。
　
　以上を踏まえると、両者の一致点、相違点は以下のとおりである。
【一致点】
　原稿が担持する画像を光電的に読み取り画像データとして出力する読取装置と、前記読取装置から出力された画像データに所定の画像処理を施して記録用の画像データとする処理装置と、前記処理装置から出力された画像データをメモリに記録して順次読み出し、所定の副走査方向に搬送した記録材料に前記画像データに応じた画像記録を行う記録装置とを有する画像読取再生装置。
【相違点】
　本願発明が「読取部による画像読取の開始から、得られた画像データを記録装置のメモリに記憶するまでの、原稿が担持する画像１コマの読み取り時間をＴｒ［秒］;記録装置における記録材料の副走査方向への搬送速度をＶｐ[mm/秒]；　記録装置における各コマの画像記録間の非記録時に不可避に生じる時間であるオーバーヘッド時間をα［秒］;　とした際に、式［１］　Ｔｒ≧（８２．５[mm]／Ｖｐ）＋α　……　［１］を満たす」のに対し、引用発明が、画像１コマの読み取り時間、記録材料の搬送速度、及びオーバーヘッド時間の関係が何ら規定されていない点。
　
４　当審の判断
　引用発明のラインプリンタ２５は、副走査されるカラーペーパー２６に各コマを間に余白部を設けて焼付露光するものであるから、引用発明において、少なくとも余白部の副走査方向の長さに相当する副走査を行う時間が、本願発明の記録装置に相当するラインプリンタ２５における各コマの画像記録間の非記録時に不可避に生じる時間であるオーバーヘッド時間αとして存在することは明らかであり、また、写真プリントの技術分野において、定形のサイズであるＥサイズの短手方向の長さが８２．５mmであることは周知事項であり、引用発明のラインプリンタ２５におけるカラーペーパー２６の副走査方向への搬送速度をＶｐ[mm/秒]とした場合、引用発明において、短手方向を副走査方向としたＥサイズの大きさのコマ部分のみの焼付露光を行うのに必要な時間は８２．５[mm]／Ｖｐであるから、結果として、引用発明において、余白部分を含む、短手方向を副走査方向としたＥサイズの１コマの焼付露光を行うのに必要な時間が（８２．５[mm]／Ｖｐ）＋αであることは明らかな事項である。
　処理単位ごとの処理を連続して行う情報処理の分野において、１処理単位の情報の入力に費やす時間と出力に費やす時間とが異なる場合に対して、１処理単位の情報の入力に費やす時間と出力に費やす時間とが等しい場合に、余分な処理の中断、情報の待機を要せず効率よく処理が行えることは技術常識であるから、処理単位といえる１コマごとの処理を連続して行う引用発明において前記技術常識を適用し、１処理単位の情報の入力に費やす時間といえる、本願発明の読取部に相当する画像読取回路２４による画像読取の開始から、得られた画像データを本願発明の記録装置のメモリに相当するフレームメモリ６３に記憶するまでの、原稿が担持する画像１コマの読み取り時間「Ｔｒ」と、１処理単位の情報の出力に費やす時間といえる、余白部分を含む、短手方向を副走査方向としたＥサイズの１コマの焼付露光を行うのに必要な時間「（８２．５[mm]／Ｖｐ）＋α」とを等しくすることは、当業者が容易に想到し得ることといえる。
　そして、引用発明は、画像読取回路２４において取り込んだ画像データをデータセレクタ６０及び画像補完回路６２を介して一度フレームメモリ６３に記憶し、記憶された画像データを読み出して焼付露光するもので、フレームメモリ６３への画像データの記憶、読み出しはそれぞれ独立して行える処理であり、引用発明において、原稿が担持する画像１コマの読み取り時間「Ｔｒ」と、余白部分を含む、短手方向を副走査方向としたＥサイズの１コマの焼付露光を行うのに必要な時間「（８２．５[mm]／Ｖｐ）＋α」とを互いに独立に設定し得ることは明らかな事項であるから、原稿が担持する画像１コマの読み取り時間「Ｔｒ」と、余白部分を含む、Ｅサイズの１コマの焼付露光を行うのに必要な時間「（８２．５[mm]／Ｖｐ）＋α」とを等しくすることを阻害する要因は見出せない。
　
　一方、本願発明の奏する効果を検討してみても、引用例に記載された発明から想定される範囲を越える格別なものとはいえない。
　
５　結論
　以上のとおり、本願発明は、引用例に記載された発明に基づいて当業者が容易に発明をすることができたものであるから、特許法２９条２項の規定により特許を受けることができない。
　したがって、本願は、他の請求項について検討するまでもなく拒絶すべきものである。
　よって、結論のとおり審決する。